【手続補正書】
【提出日】平成26年7月23日(2014.7.23)
【手続補正１】
【補正対象書類名】明細書
【補正対象項目名】００３３
【補正方法】変更
【補正の内容】
【００３３】
図２〜図８に示すように、外梯部１３３と内梯部１３５との間、言いかえれば夫々の切込部１３９の互いに対向する１対の側壁面の間には、回転ピン１３４が形成されており、後述するように、第２リンク部材１３０は、回転ピン１３４においてキートップ１１０の裏面において回動可能に保持されている。そして、外梯部１３３の内側の面、言い換えれば切込部１３９の外側の側壁面における回転ピン１３４と切込部１３９の底面との間の部分に本発明の係合部の一例である凹部１３１が形成されている。凹部１３１は、下方、換言すればメンブレンシート１６０（バックプレート１７０）に向かって開口しているが、上方に向かっては閉じている。
【手続補正２】
【補正対象書類名】明細書
【補正対象項目名】００３９
【補正方法】変更
【補正の内容】
【００３９】
したがって、第２リンク部材１３０の回転ピン１３４を１対の回転支持爪１１１の間に挿入して回転支持面１１１Ａで支承された状態とすると、図５、図７、および図８に示すように回転支持爪１１１の突起１１３が第２リンク部材１３０の凹部１３１に嵌り込む。
【手続補正３】
【補正対象書類名】明細書
【補正対象項目名】００５８
【補正方法】変更
【補正の内容】
【００５８】
しかしながら、図９および図１０に示すように、第２リンク部材１３０においては、凹部１３１は、外梯部１３３の内側の面における回転ピン１３４を挟んで切込部１３９の底面とは反対側の部分、言い換えれば、言い換えれば切込部１３９の外側の側壁面における回転ピン１３４よりも端部側の部分に形成されている。そして、凹部１３１に嵌るべき突起１１３は、キートップ１１０の外壁１１０Ａに近い側の回転支持爪１１１、言い換えればキー周縁側の回転支持爪１１１における外側の側壁に設けられている。突起１１３は、実施形態１のキースイッチ構造１００と同様に上方に向かって広がる楔状とされている。
【手続補正４】
【補正対象書類名】明細書
【補正対象項目名】００６４
【補正方法】変更
【補正の内容】
【００６４】
しかしながら、図１１および図１２に示すように、第２リンク部材１３０においては、凹部１３１は、内梯部１３５の側面における回転ピン１３４と切込部１３９の底面との間の部分、言い換えれば、切込部１３９の内側の側壁面における回転ピン１３４と切込部１３９の底面との間の部分に形成されている。そして、凹部１３１と係合すべき突起１１３は、キートップ１１０におけるキー中心側の回転支持爪１１１の内側の面に設けられている。突起１１３は、実施形態１のキースイッチ構造１００と同様に上方に向かって広がる楔状とされている。
【手続補正５】
【補正対象書類名】明細書
【補正対象項目名】００７７
【補正方法】変更
【補正の内容】
【００７７】
したがって、切込部１３９を上方から見ると、外梯部１３３に向かって広がるクランク状とされ、第２リンク部材１３０をキートップ１１０に組み付けた状態においては、キー中心側の回転支持爪１１１およびキー周縁側の回転支持爪１１１の突起１１３が設けられた側とは反対側の面と、切込部１３９における凹部１３１が設けられていない側の側壁面との間に隙間が形成される。
これにより、回転ピン１３４を回転支持部１１２に嵌め込む際に、キー中心側の回転支持爪１１１およびキー周縁側の回転支持爪１１１の何れも突起１１３が第２リンク部材１３０と干渉すると前記隙間に逃げる方向に弾性変形する。
【手続補正６】
【補正対象書類名】明細書
【補正対象項目名】００８３
【補正方法】変更
【補正の内容】
【００８３】
一方、第２リンク部材１３０においては、外梯部１３３の内側の面、言い換えれば切込部１３９における外側の側壁面における回転ピン１３４と切込部１３９の底面との間の部分には、回転支持爪１１１の凹部１１５に係合する係合部の一例としての突起１３７が形成されている。図１８に示すように、突起１３７は、下方に向かって広がる楔状とされている。
【手続補正７】
【補正対象書類名】明細書
【補正対象項目名】００８６
【補正方法】変更
【補正の内容】
【００８６】
また、前述のように、凹部１１５は、下方に閉じた形態とされ、突起１３７は下方に向かって広がる楔状であるから、第２リンク部材１３０の回転ピン１３４がキートップ１１０の回転支持面１１１Ａで支承された状態においては、突起１３７が回転支持爪１１１の凹部１１５と係合し、図１８に示す突起１３７の底面１３７Ａが凹部１１５の底面１１５Ａに相対する状態となる。したがって、リンク機構１２８に対してキートップ１１０をある程度持ち上げると、突起１３７が凹部１１５の底面１１５Ａに引っ掛かり、それ以上持ち上がらなくなる。
【手続補正８】
【補正対象書類名】明細書
【補正対象項目名】００９３
【補正方法】変更
【補正の内容】
【００９３】
図２０〜図２３に示すように、第１リンク部材２２０はリンク機構２２８の外側のリンク部材であって、略矩形枠状に形成された枠体２２１と、枠体２２１の一端側に形成され、キートップ２１０の裏面（メンブレンシート２６０、言いかえればバックプレート２７０に対向する側の面）に回動可能に保持される一対の回転ピン２２４と、枠体２２１の他端側に形成され、バックプレート２７０の第２ホルダ２５２において水平方向、言い換えればメンブレンシート２６０の面方向に沿ってスライド可能に保持される１対の摺動ピン２２２と、枠体２２１の中央部から内側に突出した一対の回転軸２２６と、を備える。
【手続補正９】
【補正対象書類名】明細書
【補正対象項目名】０１００
【補正方法】変更
【補正の内容】
【０１００】
図１９〜図２３に示すように、キートップ２１０の裏側の面には、第１リンク部材２２０の回転ピン２２４を回動可能に支持する１対の回転支持部２１２と、第２リンク部材２３０の摺動ピン２３２を回動可能にかつ水平方向（キートップ２１０の裏側の面に沿った方向）に平行移動（摺動）可能に支持する１対のスライド支持部２１４とが設けられている。
【手続補正１０】
【補正対象書類名】明細書
【補正対象項目名】０１０３
【補正方法】変更
【補正の内容】
【０１０３】
したがって、第１リンク部材２２０の回転ピン２２４を回転支持爪２１１の間に挿入すると、回転支持爪２１１の突起２１３が第１リンク部材２２０の凹部２２７に嵌り込む。
【手続補正１１】
【補正対象書類名】明細書
【補正対象項目名】０１０８
【補正方法】変更
【補正の内容】
【０１０８】
回転ピン２２４をキートップ２１０の回転支持部２１２に嵌め込むと、回転ピン２２４は、回転支持部２１２を構成する一対の回転支持爪２１１の間に挿入され、回転支持面２１１Ａの間に嵌め込まれる。ここで、前述のように一対の回転支持爪２１１のうち、キー周縁側の回転支持爪２１１における内側の面の下端部には突起２１３が突設されているから、回転ピン２２４を回転支持爪２１１の間に挿入すると、突起２１３が第１リンク部材２２０における枠体２２１の外側の面と干渉する。これにより、キー中心側の回転支持爪２１１とキー周縁側の回転支持爪２１１は互いに間隔が広がる方向に弾性変形するとともに、キー周縁側の回転支持爪２１１は互いに離間する方向に、換言すれば第１リンク部材２２０から遠ざかる方向に弾性変形する。これにより、突起２１３が枠体２２１の外側の面を乗り越える。
【手続補正１２】
【補正対象書類名】明細書
【補正対象項目名】０１１０
【補正方法】変更
【補正の内容】
【０１１０】
(作用）
図２１に示すように、実施形態７のキースイッチ構造２００においては、第１リンク部材２２０と第２リンク部材２３０とはＸ字型に交差してリンク機構２２８を構成しているから、リンク機構２２８は、第１リンク部材２２０の摺動ピン２２２と第２リンク部材２３０の回転ピン２３４とにおいてバックプレート２７０に保持されるとともに、第１リンク部材２２０の回転ピン２２４と第２リンク部材２３０の摺動ピン２３２とにおいてキートップ２１０に保持される。
【手続補正１３】
【補正対象書類名】明細書
【補正対象項目名】０１１２
【補正方法】変更
【補正の内容】
【０１１２】
キートップ２１０を押下すると、第１リンク部材２２０の摺動ピン２２２がバックプレート２７０の第２ホルダ２５２の内部で第２リンク部材２３０の回転ピン２３４から遠ざかる方向に摺動するとともに、第２リンク部材２３０の摺動ピン２３２がキートップ２１０のスライド支持部２１４の内側で第１リンク部材２２０の回転ピン２２４から遠ざかる方向に摺動する。同時に、第１リンク部材２２０の回転ピン２２４がキートップ２１０の回転支持部２１２の内側において回転するとともに、第２リンク部材２３０の回転ピン２
３４がバックプレート２７０の第１ホルダ２５０の内部において回転する。
【手続補正１４】
【補正対象書類名】図面
【補正対象項目名】図４
【補正方法】変更
【補正の内容】
【図４】
2013134969.tif 000001
【手続補正１５】
【補正対象書類名】図面
【補正対象項目名】図２０
【補正方法】変更
【補正の内容】
【図２０】
2013134969.tif 000002
【手続補正１６】
【補正対象書類名】図面
【補正対象項目名】図２２
【補正方法】変更
【補正の内容】
【図２２】
2013134969.tif 000003
【手続補正１７】
【補正対象書類名】図面
【補正対象項目名】図２３
【補正方法】変更
【補正の内容】
【図２３】
2013134969.tif 000004